(57)【要約】【課題】組み立ては簡単であり、かつ、集積された瓶等が、簡単に抜け出すことのない形状の板紙製のマルチパックを提供する。【解決手段】本発明は、天板の対向する一対の辺にそれぞれ側板を連設し、該側板にそれぞれ底板を連設してなるブランクを用い、底板同士を係着して複数の瓶等を包むように集積包装するマルチパックであって、天板の他の対向する一対の辺のそれぞれの辺から隣接する両側板の辺の一部に渡って折り返し板を連設してなり、ブランクで瓶等を包み込んで集積包装する時に、予め折り返し板を内側に折り返し、折り返し板の両側板に連設した部分を折り返し保持部として瓶等を保持することを可能としたことを特徴とするマルチパックであり、折り返し板の天板に連設した部分を天板の裏面に貼りあわせた形状とすることができることを特徴とするものである。【選択図】図３
2006347577.tif 000002
【特許請求の範囲】
【請求項１】
天板の対向する一対の辺にそれぞれ側板を連設し、該側板にそれぞれ底板を連設してなるブランクを用い前記底板同士を係着して複数の瓶等を包むように集積包装するマルチパックであって、前記天板の他の対向する一対の辺のそれぞれの辺から隣接する両側板の辺の一部に渡って折り返し板を連設してなり、前記ブランクで瓶等を包み込んで集積包装する時に、予め前記折り返し板を内側に折り返し、前記折り返し板の両側板に連設した部分を折り返し保持部として瓶等を保持することを可能としたことを特徴とするマルチパック。
【請求項２】
前記折り返し板の前記天板に連設した部分を前記天板の裏面に貼りあわせたことを特徴とする請求項１に記載のマルチパック。
【発明の詳細な説明】
【技術分野】
【０００１】
本発明は、ドリンク剤等の瓶等の複数本を集積する集積包装に使用する板紙製のマルチパックに関するものである。
【背景技術】
【０００２】
従来より、清涼飲料やドリンク剤等の小型の瓶を６〜１０本程度をまとめて集積包装するための紙製包装シートで包み込むように包装し、瓶の複数本と一単位とする形態のマルチパックがあり、包装費用を削減でき、大量販売およびその流通に適していることから広く一般に普及している。例えば、ドリンク剤等の瓶を集積包装するためのマルチパックＰでは、図４に示すように、天板１の両側に一対の側板２、３、そして、底板４、５を順次連設したブランク１０Ｐを巻き込んで、複数本の瓶Ｔを包み込む形状が一般的に使用されている。
【０００３】
このマルチパックＰは、重なり合う一方の底板４の係合片を他方の底板５の差し込み口に差し込むことにより保形され、集積包装された各瓶Ｔは、マルチパックＰの側板２、３の上縁部に設けられた保持孔２ａ、３ａに保持されて、集積包装された瓶が組み立てられたマルチパックＰから抜け出すことを防いだ形状となっている（例えば、特許文献１参照。）。
【特許文献１】登実第３０４８９３６号公報
【０００４】
しかしながら、従来のマルチパックＰでは、二列に並列に並んだ複数本の瓶Ｔを１枚のシートでトンネル状に包み込むような構造になっているので、胴部が短く先細りになっている形状の瓶Ｔに適用すると、先細りの部分とマルチパックＰの間の隙間が広くなり瓶の保持安定性が欠け、瓶ＴがマルチパックＰから抜け出し落下する危険性があるという問題がある。
【発明の開示】
【発明が解決しようとする課題】
【０００５】
本発明は、上記の問題を解決するために、組み立ては簡単であり、かつ、集積された瓶等が、簡単に抜け出すことのない形状の板紙製のマルチパックを提供することを目的とするものである。
【課題を解決するための手段】
【０００６】
上記課題を解決するための本発明は、天板の対向する一対の辺にそれぞれ側板を連設し、該側板にそれぞれ底板を連設してなるブランクを用い前記底板同士を係着して複数の瓶等を包むように集積包装するマルチパックであって、前記天板の他の対向する一対の辺のそれぞれの辺から隣接する両側板の辺の一部に渡って折り返し板を連設してなり、前記ブランクで瓶等を包み込んで集積包装する時に、予め前記折り返し板を内側に折り返し、前記折り返し板の両側板に連設した部分を折り返し保持部として瓶等を保持することを可能としたことを特徴とするマルチパックである。また、前記折り返し板の前記天板に連設した部分を前記天板の裏面に貼りあわせた形状とすることができることを特徴とする。
【発明の効果】
【０００７】
本発明に係るマルチパックでは、折り返し板を折り返して瓶等を包み込んで集積包装した時に、折り返し板を折り返すことにより、瓶が側板の上縁部に設けた頭部保持孔に保持された状態から抜け出しにくくなる。さらに、折り返し板の両側板に連設した部分を折り返し保持部とすることによって、集積包装された瓶等が簡単に抜け出すことを防ぐことができるという効果を有している。
また、従来の製造工程で製造することができ、集積包装工程においても、包装作業性を低下させることなく、組み立てを従来の包装機械で折り曲げて包装することができるという効果も有している。
【発明を実施するための最良の形態】
【０００８】
以下、本発明における実施の形態として、ドリンク剤を充填した瓶１０本を集積包装することができるマルチパックを例にとって説明する。なお、ここでは、上記従来例と同一の部分については簡単に説明し、従来例との相違点について主に説明する。
【０００９】
図１に示すように、本発明のマルチパックＡのブランク１０Ａでは、マルチパックＡの天頂部となる天板１の対向する一対の辺（図面では上下辺）には折れ線ａ、ｂを介して側板２、３を連設し、そして、側板２の上辺には折れ線ｃを介して底板４を連設し、側板３の下辺には折れ線ｄを介して底板５を連設している。
【００１０】
また、底板４と底板５には、互いに係着できるように、一方に、係止片４ａ（本例では底板４側）を、他方に、差し込み口５ａ（本例では底板５側）をそれぞれ設けている。本実施形態では、底板４に３個の係止片４ａ、４ａ、４ａを設け、底板５にそれらの係止片４ａ、４ａ、４ａに対応する位置に差し込み口５ａ、５ａ、５ａを設けている。底板４の係止片４ａ、４ａ、４ａを底板５の差し込み口５ａ、５ａ、５ａに差し込むことによって、底板４と底板５とを係着することができる。このように、底板４と底板５とを係着することにより、１０本の瓶Ｔを包むように集積包装できるマルチパックＡを組み立てることができる。
【００１１】
また、側板２および側板３の上縁部には、集積包装するそれぞれの瓶Ｔの頭部を保持する頭部保持孔２ａ、３ａ（本例では各５ヶ所）を設けている。一方、側板２および側板３の下縁部には、集積包装するそれぞれの瓶等の底部を保持する底部保持孔２ｂ、３ｂ（本例では各５ヶ所）を設けている。実際に、瓶等を集積包装する時、首部保持孔２ａ、３ａ（本例では各５ヶ所）および底部保持孔２ｂ、３ｂ（本例では各５ヶ所）によって、１０本の瓶Ｔを保持することができる。
【００１２】
本発明のマルチパックＡのブランク１０Ａでは、天板１の他の対向する一対の辺（図面では左右辺）からそれぞれ隣接する側板２の一部、および側板３の一部に渡って、折れ線ｅ、ｅを介して一対の折り返し板６、６を連設している。この折り返し板６は、天板１に連設した部分の天板連設部６ａと、側板２の一部および側板３の一部を連設した部分の側板連設部６ｂ、６ｂからなり、実際に、１０本の瓶Ｔを集積包装する時、折り返し板６、６を内側に折り返すが、この折り返し板６、６を折り返すことにより瓶Ｔが頭部保持孔２ａ、３ａから抜け出しにくくなる上、図２に示すように、側板連設部６ｂ、６ｂが瓶Ｔを保持して脱落を防止する機能を有する部分となる。
【００１３】
折り返し板６の天板連設部６ａの幅は、折り返した時に集積包装した瓶Ｔの頭部に至る寸法以上とする。また、従来の集積包装ラインに適用できるように、天板１の裏面に貼りあわせることが好ましく、具体的には、経済性を考慮して１５〜３０ｍｍの範囲が好ましい。
【００１４】
一方、折り返し板６の側板連設部６ｂの幅は、折り返した時に、側板２、３の上縁部に設けた頭部保持孔２ａ、３ａを塞がないような寸法とする。この側板連設部６ｂ、６ｂは側板２、３の裏面には貼り合わせずに、若干、浮いた状態とすることが好ましい。この側板連設部６ｂは、側板２、３の上縁部の両端を二重にして強化している。このことが瓶Ｔを保持して脱落を防止している。さらに、図２に示すように、側板連設部６ｂ、６ｂの両端が拡がった形状とすることが好ましく、この拡がった部分で瓶Ｔの首下部を保持してさらに瓶Ｔを保持して脱落を防止することができる。
【００１５】
また、折り返し板６、６を折り返す折れ線ｅ、ｅは、折り返しやすくするために、ミシン目、リード罫等としてもよい。
【００１６】
また、このマルチパックＡの天板１には、手で持ちやすいように、指入れ孔１ａを設けることができる。また、側板３（あるいは側板２）には、開封しやすいように、ジッパーＺを設けることもできる。
【００１７】
このブランク１０ＡからマルチパックＡに組み立てて１０本の瓶Ｔを集積包装する方法の一例について説明する。まず、ブランク１０Ａにおいて、両側のそれぞれの折り返し板６、６を内側に折り返し、天板１に連設した部分の天板連設部６ａを天板１の裏面の貼り合わせ、側板２の一部および側板３の一部を連設した部分の側板連設部６ｂ、６ｂは側板２および側板３には貼り合わせていない状態とする。つぎに、集積包装ラインにおいて、１０本の瓶Ｔの頭部に天板１が位置するように置き、瓶Ｔを包むようにして、天板１から側板２、３を折り曲げる。そして、集積包装するそれぞれの瓶Ｔの頭部を側板２、３の上縁部の頭部保持孔２ａ、３ａ（本例では各５ヶ所）で保持する。その時、図２に示すように、側板連設部６ｂ、６ｂは側板２、３から浮いた状態となり集積包装された瓶Ｔを保持している。
【００１８】
さらに、底板４および底板５を瓶Ｔの底部側に折り曲げ、底板４の係止片４ａ、４ａ、４ａを底板５の差し込み口５ａ、５ａ、５ａに差し込むことによって、底板４と底板５とを係着することができる。この時、集積包装するそれぞれの瓶Ｔの底部を側板２、３の下縁部の底部保持孔２ｂ、３ｂ（本例では各５ヶ所）で保持することができる。この底板４と底板５を係着する方法は、本例の方法に限定されるものではなく、貼り合せてもよい。
【００１９】
このようにして、図３に示すように、１０本の瓶Ｔが集積包装されたマルチパックＡとなり、１０本の瓶Ｔの頭部が側板２、３の頭部保持孔２ａ、３ａで保持され、底部が側板２、３の底部保持孔２ｂ、３ｂで保持され、さらに、折り返した折り返し板６、６の側板連設部６ｂ、６ｂでも、瓶Ｔの首部が保持される。
【００２０】
本発明のマルチパックは本実施例の形態に限定されるものではなく、例えば、１０本の瓶を集積包装するマルチパック以外にも、８本、６本等の瓶を集積包装する形態としてもよい。
【産業上の利用可能性】
【００２１】
本発明に係るマルチパックでは、ドリンク剤等の瓶の他、飲料、調味料等の瓶を集積包装するマルチパックとして広く利用することができる。
【図面の簡単な説明】
【００２２】
【図１】本発明に係るマルチパックのブランクを示す展開図である。
【図２】本発明に係るマルチパックにおいて瓶を集積包装した状態を示す側面図である。
【図３】本発明に係るマルチパックにおいて瓶を集積包装した状態を示す斜視図である。
【図４】従来のマルチパックの包装状態を示す斜視図である。
【符号の説明】
【００２３】
Ａ    マルチパック
Ｐ    マルチパック（従来）
Ｔ    瓶
Ｚ    ジッパー
１０Ａ  ブランク
１    天板
１ａ  指入れ孔
２    側板
２ａ  頭部保持孔
２ｂ  底部保持孔
３    側板
３ａ  頭部保持孔
３ｂ  底部保持孔
４    底板
４ａ  係止片
５    底板
５ａ  差し込み口
６    折り返し板
６ａ  天板連設部
６ｂ  側板連設部
ａ〜ｅ  折れ線
【図１】
2006347577.tif 000003
【図２】
2006347577.tif 000004
【図３】
2006347577.tif 000005
【図４】
2006347577.tif 000006